(57)【特許請求の範囲】
【請求項１】
外部と断熱された庫内にコラム収納部を複数段設け、各コラム収納部には販売商品を収納したコラムが複数個並置され、コラム収納部の間に仕切り装置を設けて庫内を加熱領域と冷却領域とに区分し、且つコラム収納部の前方部に商品搬出装置を上下動可能に装備した自動販売機において、
前記仕切り装置は、操作レバーにて作動するシャッタを有し、このシャッタを開閉することで着脱可能とし、仕切り装置の取付位置を変更可能に形成したことを特徴とする庫内仕切り装置を備えた自動販売機。
【請求項２】
前記仕切り装置は、断熱性の基板と、この基板の両側に位置する断熱性の板状のシャッタと、基板の下面側に取り付けられた操作レバーとを備え、操作レバーの基端部は前記基板に枢支されると共に、操作レバーの回動に伴って水平回動するレバーアームが取り付けられ、このレバーアームの両端部は前記板状のシャッタに枢支されたシャッタアームの端部にそれぞれ枢支され、操作レバーの回動により板状のシャッタが同時に開閉するように構成された請求項１記載の庫内仕切り装置を備えた自動販売機。
【請求項３】
前記仕切り装置のシャッタは、庫内の両側部に設けられたダクト通路を開閉する請求項１又は２記載の庫内仕切り装置を備えた自動販売機。
【発明の詳細な説明】
【０００１】
【発明の属する技術分野】
本発明は、庫内仕切り装置を備えた自動販売機に関する。
【０００２】
【従来の技術】
飲料物の自動販売機は、所謂加熱した商品と冷却した商品との両販売商品を兼用したものが多い。この自動販売機は、通常外部と断熱された庫内にコラム収納部を複数段設け、各コラム収納部には販売商品を収納したコラムが複数個並置され、コラム収納部の間に仕切り装置を設けて庫内を加熱領域と冷却領域とに区分し、且つコラム収納部の前方部に商品搬出装置を上下動可能に装備した構成になっている。
【０００３】
【発明が解決しようとする課題】
上記従来の自動販売機によると、仕切り装置は断熱性を有する板材から形成され、この板材をコラム収納部の間に取り付け固定した構造であるため、加熱領域と冷却領域との容積比率を容易に変更することはできない。
又、コラムを垂直に配置する自動販売機では、加熱領域と冷却領域とは仕切り板によって左右に区分され、その仕切り板の取付位置を変更できるようにしたものが従来存在する。しかしながら、この場合、仕切り板は２分割しないと着脱できないため取付位置の変更は面倒であり、庫内全体を冷却領域にする時には仕切り板を取り外さねばならず、その保管スペースも必要とする。
【０００４】
本発明は、このような従来の自動販売機の問題点を解消するためになされ、庫内を加熱領域と冷却領域とに仕切る仕切り装置の着脱が容易にでき、加熱領域と冷却領域との容積比率を変更できると共に、庫内に取り付けたままでも庫内全体を冷却領域にすることができるようにした、庫内仕切り装置を備えた自動販売機を提供することを目的とする。
【０００５】
【課題を解決するための手段】
この目的を達成するための具体的手段として、本発明は、外部と断熱された庫内にコラム収納部を複数段設け、各コラム収納部には販売商品を収納したコラムが複数個並置され、コラム収納部の間に仕切り装置を設けて庫内を加熱領域と冷却領域とに区分し、且つコラム収納部の前方部に商品搬出装置を上下動可能に装備した自動販売機において、
前記仕切り装置は、操作レバーにて作動するシャッタを有し、このシャッタを開閉することで着脱可能とし、仕切り装置の取付位置を変更可能に形成したことを特徴とする庫内仕切り装置を備えた自動販売機を要旨とする。
又、この庫内仕切り装置を備えた自動販売機において、前記仕切り装置は、断熱性の基板と、この基板の両側に位置する断熱性の板状のシャッタと、基板の下面側に取り付けられた操作レバーとを備え、操作レバーの基端部は前記基板に枢支されると共に、操作レバーの回動に伴って水平回動するレバーアームが取り付けられ、このレバーアームの両端部は前記板状のシャッタに枢支されたシャッタアームの端部にそれぞれ枢支され、操作レバーの回動により板状のシャッタが同時に開閉するように構成されたこと、
前記仕切り装置のシャッタは、庫内の両側部に設けられたダクト通路を開閉すること、
を要旨とするものである。
【０００６】
【発明の実施の形態】
以下、本発明の実施の形態を添付図面に基づいて詳説する。
図１は、本発明に係る自動販売機の実施形態を示すもので、１は販売機本体であり、図１(ロ) のように前面にドア１ａが取り付けられると共に内側に断熱扉２が取り付けられて庫内が断熱状態に保持されている。又、前面ドア１ａには、図示を省略したが商品展示ボード、商品選択ボタン、硬貨投入口、釣銭取出口、その他必要な表示部が設けられ、下部には商品取出口３が設けられている。
【０００７】
販売機本体１の庫内は、棚等からなるコラム収納部４が上下方向に所定の間隔をあけて複数段設けられ、各コラム収納部４には図１(イ) のように販売商品Ｓを収納したコラム５が複数個並置され、その先端部にはストッパ５ａが設けられ、このストッパ５ａが開くと最前位の商品が払い出されるようにしてある。
【０００８】
６は商品搬出装置であり、図示の例ではエレベータから構成され前記コラム収納部４と断熱扉２との間に形成された通路Ｒ内を、公知のチェーン等の駆動装置（図略）により上下動自在に形成されている。この商品搬出装置６は、図１(ハ) のようにバケット６ａが左右方向に移動自在に形成され、販売時には所望のコラム収納部４の近傍まで上昇すると共に、前記コラム５から払い出された商品Ｓをバケット６ａ内に受止し、通路Ｒの下端待機位置まで下降した時にバケット６ａの底部が開いて商品Ｓを前記商品取出口３に排出できるようにしてある。
【０００９】
７は仕切り装置であり、所定のコラム収納部４の間に着脱可能に取り付けられ、この仕切り装置７より上方は加熱領域Ｐに、下方は冷却領域Ｑに区分し、図１(ロ) のように加熱領域Ｐは庫内の上部に設けられた加熱ユニット８により、冷却領域Ｑは庫内の下部に設けられた冷却ユニット９によりそれぞれ適温に加熱又は冷却される。
尚、仕切り装置７の前端部には開閉式又は移動式の仕切り板（図略）が取り付けられ、前記通路Ｒを遮断し断熱する。
【００１０】
前記仕切り装置７は、図２に示すように断熱材で形成された基板１０と、同じく断熱材で形成された左右の板状のシャッタ１１、１２と、これらのシャッタ１１、１２を開閉するための操作レバー１３とから構成されている。
【００１１】
基板１０は、図２(イ) のように裏面側に操作レバー１３の基端部１３ａがピン１４で枢支され、この基端部１３ａにはレバーアーム１５の中央部が取り付け固定されている。又、図２(ロ) 、(ハ) のように基板１０の両側部のほぼ中間から後端にかけて段部１０ａ、１０ｂがそれぞれ形成され、段部１０ａ、１０ｂの前端部には図２(イ) のようにガイドレール１６、１７が取付片１６ａ、１７ａを介してそれぞれ左右方向に取り付けられ、段部１０ａ、１０ｂの後端部には共通のガイドレール１８が取付片１８ａを介して左右方向に取り付けられている。
【００１２】
前記シャッタ１１、１２は奥行寸法Ｌは前記段部１０ａ、１０ｂの奥行寸法に等しく、幅寸法Ｗは段部１０ａ、１０ｂの幅寸法より若干短く形成され、厚さ寸法Ｄは段部１０ａ、１０ｂの深さ（高さ）と等しく形成され、裏面側のほぼ中央部にはシャッタアーム１９、２０の基端部がピン２１、２２でそれぞれ枢支され、このシャッタアーム１９、２０の先端部１９ａ、２０ａは前記レバーアーム１５の先端部１５ａ、１５ｂにピン２３、２４でそれぞれ枢支されている。更に、シャッタ１１、１２の裏面側の前後には前記ガイドレール１６、１７、１８に係合するローラ２５、２６、２７、２８がそれぞれ取り付けられている。
【００１３】
このように構成された仕切り装置７は、前記操作レバー１３を操作することで左右のシャッタ１１、１２を同時に開閉することができる。即ち、図３(イ) 、(ロ) に示すのはシャッタ１１、１２の閉状態であり、この時左右のシャッタ１１、１２は基板１０の左右の段部１０ａ、１０ｂから側方にそれぞれ一部突出した状態になっている。この閉状態にて、仕切り装置７が図１(ハ) のように前記販売機本体１の庫内に取り付けられているのであり、且つ図１(イ) のように販売機本体１の側壁１ｂとダクト壁１ｃとで形成された両側のダクト通路Ｔをシャッタ１１、１２でそれぞれ遮断するようにしてある。
【００１４】
図４(イ) 、(ロ) はシャッタ１１、１２の開状態を示すもので、図３の閉状態から操作レバー１３をピン１４を中心として図４(イ) のように時計回りに回転させると、図４(イ) のようにこの回転に伴って前記レバーアーム１５が時計回りに回転し、シャッタ１１のシャッタアーム１９はピン２１を中心として反時計回りに回転しながらレバーアーム１５に引き寄せられ、これと同時にシャッタ１２のシャッタアーム２０はピン２２を中心として反時計回りに回転しながらレバーアーム１５に引き寄せられる。この結果、シャッタ１１、１２は基板１０の内方に同時に引き寄せられて、段部１０ａ、１０ｂ内にそれぞれ入り込む。この際、シャッタ１１、１２は、前記ローラ２５、２６、２７、２８がガイドレール１６、１７、１８に沿って移動するため、これらのガイドレール１６、１７、１８によりガイドされて円滑に移動する。
【００１５】
シャッタ１１、１２を開くと、仕切り装置７の幅寸法が縮小されるため、前記販売機本体１の庫内から引き抜くことができ、つまり仕切り装置７を取り外すことができる。引き抜いた仕切り装置７は、シャッタ１１、１２の開状態を保持したまま、庫内の別の取付位置に挿入すると共に、操作レバー１３を反対方向に回転させれば、先とは逆の動作を経てシャッタ１１、１２が閉状態となり、つまり図３(イ) の状態となって庫内に再度取り付けることができる。従って、前記庫内のダクト壁１ｃにシャッタ１１、１２の出入りする切欠孔を左右同一の高さで各コラム収納部４間にそれぞれ設けておけば、仕切り装置７の取付位置を所望とする箇所に変更することができ、これにより加熱領域Ｐと冷却領域Ｑとの容積比率を容易に変更することが可能となる。
【００１６】
図５は仕切り装置７の取付位置を変更した例を示すもので、(イ) は上３段を加熱領域Ｐ、下４段を冷却領域Ｑとしたもの、(ロ) は上２段を加熱領域Ｐ、下５段を冷却領域Ｑとしたもの、(ハ) は上１段のみ加熱領域Ｐ、下６段を冷却領域Ｑとしたものである。このようにして、加熱領域Ｐと冷却領域Ｑとの容積比率を容易に変更することで、夏や冬等各季節に対応する好適な販売体制を整えることができる。
【００１７】
更に、庫内における仕切り装置７の取付位置の如何に拘らず、シャッタ１１、１２を開けば前記ダクト通路Ｔが開放されるため、庫内全体を冷却領域Ｑにすることも可能である。シャッタ１１、１２を開いた時に仕切り装置７の落下を防止するために、ダクト壁の切欠孔の下に適宜の受止部材（図略）をそれぞれ取り付けることが好ましい。
【００１８】
又、ダクト壁の切欠孔の近辺にスイッチ等の検出装置（図略）をそれぞれ配設し、仕切り装置７を取り外したときはＯＦＦ、取り付けた時はＯＮとなるようにしてその取付位置を検知し、及びシャッタ１１、１２の開閉をＯＮ、ＯＦＦで検知する。これにより、加熱領域Ｐと冷却領域Ｑとの区分変更による制御が可能となり、販売時の商品搬出動作を適正に制御することができる。
【００１９】
【発明の効果】
以上説明したように、本発明によれば、仕切り装置の着脱は操作レバーでシャッタを開閉することで簡単にできるようにしたので、その仕切り装置の取付位置の変更は容易であり、庫内の加熱領域と冷却領域との容積比率の設定及び変更が可能であり、庫内全体を冷却領域にする時には仕切り装置を取り外さなくてもシャッタを開くだけで済み、且つ仕切り装置の保管スペースも不要である等の優れた効果を奏する。
【図面の簡単な説明】
【図１】本発明に係る自動販売機の実施形態を示すもので、(イ) は概略正面図、(ロ) は概略縦断側面図、(ハ) は概略横断底面図。
【図２】仕切り装置を示すもので、(イ) は底面図、(ロ) は(イ) のＡ−Ａ線断面図、(ハ) は(イ) の平面図。
【図３】仕切り装置の閉状態を示すもので、(イ) は底面図、(ロ) は(イ) の概略平面図。
【図４】仕切り装置の開状態を示すもので、(イ) は底面図、(ロ) は(イ) の概略平面図。
【図５】  (イ) 〜(ハ) は仕切り装置の取付位置の変更例をそれぞれ示す説明図。
【符号の説明】
１…販売機本体
２…断熱扉
３…商品取出口
４…コラム収納部
５…コラム
６…商品搬出装置
７…仕切り装置
８…加熱ユニット
９…冷却ユニット
１０…基板
１１、１２…シャッタ
１３…操作レバー
１４…ピン
１５…レバーアーム
１６、１７、１８…ガイドレール
１９、２０…シャッタアーム
２１、２２、２３、２４…ピン
２５、２６、２７、２８…ローラ
【図１】
0003669189.tif 000002
【図２】
0003669189.tif 000003
【図３】
0003669189.tif 000004
【図４】
0003669189.tif 000005
【図５】
0003669189.tif 000006